【事件の表示】
　特願２０１０−１２７２１４「データを再生する方法」拒絶査定不服審判事件〔平成２２年１０月２１日出願公開、特開２０１０−２３８３５４〕について、次のとおり審決する。
【結　論】
　本件審判の請求は、成り立たない。
【理　由】
第１　手続の経緯
　
　本願は、平成１６年７月６日（パリ条約による優先権主張　外国庁受理　２００３年７月７日　米国（ＵＳ）　２００３年１０月２９日　韓国（ＫＲ）　２００４年４月２日　韓国（ＫＲ））を国際出願日とする特願２００６−５１８５４７号の一部を平成２２年６月２日に新たな特許出願としたものであって、平成２３年８月２日付け拒絶理由通知に対して平成２４年２月９日付けで手続補正がなされたが、同年４月１６日付けで拒絶査定がされた。これに対し、同年８月２４日付けで拒絶査定不服審判が請求されるとともに、同日付けで手続補正がなされた。
　その後、平成２４年１２月６日付けで前置報告書を利用した審尋がなされ、平成２５年３月１１日付けで回答書が提出されたものである。
　
第２　平成２４年８月２４日付けの手続補正についての補正却下の決定
　
［補正却下の決定の結論］
　平成２４年８月２４日付けの手続補正を却下する。
　
［理由］
１．本件補正
　
　平成２４年８月２４日付けの手続補正（以下「本件補正」という。）は、特許請求の範囲及び明細書についてするもので、特許請求の範囲については、本件補正前に、
「　【請求項１】
　マルチアングルデータを記録媒体でバッファリングするリードバッファとバッファリングされた前記マルチアングルデータを変換するデパケッタイザを含む再生装置において、複数の異なるアングルからのシーンの再生のためのデータを前記記録媒体から再生する方法であって、
　前記複数のアングルのそれぞれから前記シーンに対応するデータを取得する段階を有し、
　前記マルチアングルデータは、複数のインターリーブドブロックであって、前記記録媒体に記録されており、
　前記インターリーブドブロック各々は、
　　前記シーンを再生するための動映像データ、及び
　　前記再生装置が、前記複数のインターリーブドブロックのうちの１つのインターリーブドブロック内のデータから前記複数のインターリーブドブロックのうちの別のインターリーブドブロック内のデータへジャンプ可能にするよう指示されるアングル転換点を有し、
　前記インターリーブドブロックそれぞれの開始位置に前記アングル転換点が設けられ、
　前記リードバッファの最小サイズはアングルチェーンジ要求によるジャンプ時間と前記デパケッタイザの出力レートである第１データ出力レートにより決定され、
　前記リードバッファの出力レートはデータに含まれるパケットのサイズと前記第１出力レートにより決定される、ことを特徴とする方法。
　　【請求項２】
　前記複数のアングルのうちの幾つか及び前記再生装置の期待最大ジャンプ時間に基づき、個々の前記インターリーブドブロックのデータ長を決定する段階、
　を更に有する請求項１に記載の方法。
　　【請求項３】
　前記再生装置の見込み最大ジャンプ時間、個々の前記インターリーブドブロックのデータ長及び前記複数のアングルのうちの少なくとも１つかに基づき、前記アングル転換点の最大数を計算する段階、
　を更に有する請求項１に記載の方法。」
とあったところを、
　
本件補正後、
「　【請求項１】
　マルチアングルデータを記録媒体でバッファリングするリードバッファとバッファリングされた前記マルチアングルデータを変換するデパケッタイザを含む再生装置において、複数の異なるアングルからのシーンの再生のためのデータを前記記録媒体から再生する方法であって、
　前記複数のアングルのそれぞれから前記シーンに対応するデータを取得する段階を有し、
　前記マルチアングルデータは、複数のインターリーブドブロックであって、前記記録媒体に記録されており、
　前記インターリーブドブロック各々は、
　　前記シーンを再生するための動映像データ、及び
　　前記再生装置が、前記複数のインターリーブドブロックのうちの１つのインターリーブドブロック内のデータから前記複数のインターリーブドブロックのうちの別のインターリーブドブロック内のデータへジャンプ可能にするよう指示されるアングル転換点を有し、
　前記インターリーブドブロックそれぞれの開始位置に前記アングル転換点が設けられ、
　前記リードバッファの
アンダーフローを防止するために前記リードバッファに保存されている必要があるデータの量
　前記リードバッファの出力レートはデータに含まれるパケットのサイズと前記第１出力レートにより決定され
、
　前記インターリーブドブロックの大きさは、INT[(M×SANGLE_POINTS+6144-192)/6144]×3により算出され、Mは前記アングル転換点の数であり、SANGLE_POINTSは二つのアングル転換点の間の長さを表す、
とするものである。
　
　上記本件補正は、請求項１についてする補正であって、その内容は、補正前請求項１に記載した発明特定事項である「インターリーブドブロック」について「前記インターリーブドブロックの大きさは、INT[(M×SANGLE_POINTS+6144-192)/6144]×3により算出され、Mは前記アングル転換点の数であり、SANGLE_POINTSは二つのアングル転換点の間の長さを表す」と限定したものである。
　本件補正は、補正前請求項１に記載した発明特定事項を限定するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後の請求項１に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下検討する。
　
２．先願明細書等
　
　原査定の拒絶の理由に引用された、本願の優先権主張の日前の優先権主張を伴う国際特許出願であって、本願の優先権主張の日後に国際公開された特願２００５−５０５７０６号（国際出願番号ＰＣＴ／ＪＰ２００４／００４６４８、国際公開第２００４／０９５８３４号参照、優先権主張　特願２００３−１１９３３２号　２００３年４月２４日　日本国（ＪＰ））の国際出願日における国際出願の明細書、特許請求の範囲及び図面（以下「先願明細書等」という。）には、図面と共に、以下の記載がある。（なお、下線は当審で付与した。）
　
（１）「上述した映像データや音声データなどから構成される複数のデータが記録されている記録媒体として、特に、ＤＶＤ（Ｄｉｇｉｔａｌ  Ｖｅｒｓａｔｉｌｅ  Ｄｉｓｃ）ビデオがあり、ＤＶＤビデオのフォーマットには、マルチアングル再生が規定されている。
マルチアングル再生が可能な所定の再生区間において、ユーザは、自分の嗜好に合うアングルを選択することができ、その際、記録再生装置によりアングル間の切り替えをシームレスに再生することができる。
  図１は、ＤＶＤビデオのマルチアングルのフォーマットを説明する図である。
  
マルチアングルの再生区間は、複数の一再生区間により構成されており、その一再生区間はセル（Ｃｅｌｌ）と呼ばれる。
ここで、セルに対応する実態のＡＶストリームデータはＶＯＢ（Ｖｉｄｅｏ  Ｏｂｊｅｃｔ）と呼ばれる。
　図２に、ＤＶＤビデオのマルチアングルを実現するための、インターリーブドブロック構造を示す。
インターリーブドブロックは、複数のＩＬＶＵ（Ｉｎｔｅｒｌｅａｖｅｄ  Ｕｎｉｔ）と呼ばれる単位で構成される。
各ＩＬＶＵは、Ｃｌｏｓｅｄ  ＧＯＰ（Ｇｒｏｕｐ  Ｏｆ  Ｐｉｃｔｕｒｅｓ）から開始する。
　
（２）「図４は、本発明を適用した
記録再生装置
　
（３）「
多重化ストリームは、例えば、ＭＰＥＧ２トランスポートストリームやＭＰＥＧ２プログラムストリームである。ソースパケッタイザ１９は、入力された多重化ストリームを、そのストリームを記録させる記録媒体１００のアプリケーションフォーマットに従って、ソースパケットから構成されるＡＶストリームに符号化する。
　
（４）「
入力トランスポートストリームを再エンコードした後に記録する場合、端子１３に入力されたトランスポートストリームは、スイッチ２５からデマルチプレクサ２６に入力される。デマルチプレクサ２６は、入力されたトランスポートストリームに対してデマルチプレクス処理を施し、ビデオストリーム（Ｖ）、オーディオストリーム（Ａ）、およびシステム情報（Ｓ）を抽出する。
　
（５）「
このようにして記録媒体１００に記録されたＡＶストリームファイル（画像データと音声データのファイル）と、アプリケーションデータベース情報が再生部３により再生される場合
　制御部２３は、アプリケーションデータベース情報に基づいて、記録媒体１００に記録されているプレイリストの一覧を端子２４のユーザインタフェースへ出力する。ユーザは、プレイリストの一覧から再生したいプレイリストを選択し、再生を指定されたプレイリストに関する情報が、端子２４から制御部２３に入力される。制御部２３は、そのプレイリストの再生に必要なＡＶストリームファイルの読み出しを、読み出し部２８に指示する。
読み出し部２８は、その指示に従い、記録媒体１００から対応するＡＶストリームを読み出し、復調部２９に出力する。
  
ソースデパケッタイザ３１は、記録媒体１００から読み出され、所定の処理が施されたアプリケーションフォーマットのＡＶストリームを、デマルチプレクサ２６が処理可能なストリームに変換する。
　
（６）「ＤＶＲ  ＭＰＥＧ２トランスポートストリームについて説明する。図６に、ＡＶストリームファイルの構造を示す。
  ＡＶストリームファイルは、ＤＶＲ  ＭＰＥＧ２トランスポートストリームの構造を持つ。
ＤＶＲ  ＭＰＥＧ２トランスポートストリームは、整数個のアラインユニット（Ａｌｉｇｎｅｄ  ｕｎｉｔ）から構成される。アラインユニットの大きさは、６１４４バイト（２０４８×３バイト）である。アラインユニットは、ソースパケットの第１バイト目から始まる。ソースパケットは、１９２バイト長である。１つのソースパケットは、ＴＰ＿ｅｘｔｒａ＿ｈｅａｄｅｒとトランスポートパケットから成る。ＴＰ＿ｅｘｔｒａ＿ｈｅａｄｅｒは、４バイト長であり、またトランスポートパケットは、１８８バイト長である。
  
１つのアラインユニットは、３２個のソースパケットから成る。ＤＶＲ  ＭＰＥＧ２トランスポートストリームの中の最後のアラインユニットも、また３２個のソースパケットから成る。よって、ＤＶＲ  ＭＰＥＧ２トランスポートストリームは、アラインユニットの境界で終端する。記録媒体１００に記録される入力トランスポートストリームのトランスポートパケットの数が３２の倍数でないとき、ヌルパケット（ＰＩＤ＝０ｘ１ＦＦＦのトランスポートパケット）を持ったソースパケットが最後のアラインユニットに使用される。
　
（７）「図９に、クリップインフォメーションファイルのデータ内容を示す。
  
ＡＶストリームデータＡ１，Ｂ１，およびＣ１の中のそれぞれのビデオストリームデータは、シーケンスヘッダ（Ｓｅｑｕｅｎｃｅ  ｈｅａｄｅｒ）から始まるＣｌｏｓｅｄ  ＧＯＰから開始する。
  
また、ＡＶストリームデータＡ２，Ｂ２，およびＣ２についても、それぞれのビデオストリームデータは、シーケンスヘッダから始まるＣｌｏｓｅｄ  ＧＯＰから開始し、
  
更に、ＡＶストリームデータＡ３，Ｂ３，およびＣ３について、それぞれのビデオストリームデータは、シーケンスヘッダから始まるＣｌｏｓｅｄ  ＧＯＰから開始し、
  ＡＶストリームデータＡ１，Ｂ１，およびＣ１の中のオーディオストリームデータは、それぞれ同一であり、また、ＡＶストリームデータＡ２，Ｂ２，およびＣ２の中のオーディオストリームデータも、それぞれ同一であり、更に、ＡＶストリームデータＡ３，Ｂ３，およびＣ３の中のオーディオストリームデータも、それぞれ同一である。
  
ＡＶストリームデータＡ１，Ｂ１，およびＣ１には、ビデオパケットとオーディオパケットが含まれるが、それぞれの先頭パケットは、ビデオパケットとされ、そのペイロードはシーケンスヘッダとＧＯＰヘッダから始まるＩピクチャで開始される。ＡＶストリームデータＡ２，Ｂ２，およびＣ２のそれぞれの先頭パケットも、ビデオパケットであり、そのペイロードはシーケンスヘッダとＧＯＰヘッダから始まるＩピクチャで開始される。ＡＶストリームデータＡ３，Ｂ３，およびＣ３のそれぞれの先頭パケットも、ビデオパケットであり、そのペイロードはシーケンスヘッダとＧＯＰヘッダから始まるＩピクチャで開始される。
　
（８）「マルチアングルを構成する各アングルの各プレイアイテムに対応するＡＶストリームデータを記録媒体１００に記録するとき、例えば、図１２に示されるように、Ａ１，Ａ２，Ａ３，Ｂ１，Ｂ２，Ｂ３，Ｃ１，Ｃ２，Ｃ３のように、
同一のアングルのＡＶストリームデータのうちの複数
の連続するアングル切り替えユニットごとに
、各アングルのＡＶストリームデータをインターリーブして記録するようにしてもよい。
アングル切り替え点
  図１２を用いて説明したように、
連続する複数のアングル切り替えユニットをＩＬＶＵとした
　
（９）「ステップＳ７５において、制御部２３は、ステップＳ７４で取得されたジャンプ時間から、平均レートＲａｖｅ以上の値であるＡＶストリームレートの値Ｒｍａｘに対応する最小アングル切り替え時間ｔを算出する。ここで、
ＡＶストリームレートの値Ｒｍａｘ
  Ｒｕｄ×（ｔ−Ｔａｃｃ）＝Ｒｍａｘ×ｔ・・・（２）  ｔ＝Ｔａｃｃ×Ｒｍａｘ／（Ｒｕｄ−Ｒｍａｘ）・・・（３）
  ここで、Ｒｕｄは、データの読み出し速度である。データの再生処理において、
シームレスにデータを再生するためには、
あるＩＬＶＵのデータがデータ読み出し速度Ｒｕｄで読み込まれたとき、読み込まれた１  ＩＬＶＵのデータは、順次、所定のＡＶストリームレートで再生される。そして、データの読み込みが終了してから、その１  ＩＬＶＵのデータの再生が終了されるまでに、次に読み込むＩＬＶＵの開始位置までのジャンプが終了しなければ、
　
（１０）「次に、図２５のフローチャートを参照して、以上のようにして記録された
マルチアングルのＡＶストリームデータを再生する
　
　先願明細書等に記載された記録再生装置の動作を方法の発明として捉えることができることを踏まえて上記摘示事項及び図面の記載を総合勘案すると、先願明細書等には、次の発明（以下「先願発明」という。）が記載されているものと認める。
　
「記録媒体から読み出された、アプリケーションフォーマットのソースパケットから構成されるＡＶストリームを、デマルチプレクサが処理可能なＭＰＥＧ２トランスポートストリームに変換するソースデパケッタイザを含む、マルチアングルのＡＶストリームデータを再生する記録再生装置において、マルチアングル再生が可能な所定の再生区間において、ユーザは、自分の嗜好に合うアングルを選択することができ、その際、記録再生装置によりアングル間の切り替えをシームレスに再生することができる方法であって、
　マルチアングルの再生区間は、複数のセル（Ｃｅｌｌ）により構成されており、セルに対応する実態のＡＶストリームデータを読み出す段階を有し、
　マルチアングルのＡＶストリームデータは、複数のＩＬＶＵ（Ｉｎｔｅｒｌｅａｖｅｄ  Ｕｎｉｔ）と呼ばれる単位で構成され、
　各アングルのＡＶストリームデータは、同一のアングルのＡＶストリームデータのうちの複数の連続するアングル切り替えユニットごとにインターリーブして記録され、
　ＩＬＶＵは複数のアングル切り替え点を有し、
　あるＩＬＶＵのデータがデータ読み出し速度Ｒｕｄで読み込まれたとき、読み込まれた１  ＩＬＶＵのデータは、順次、所定のＡＶストリームレートＲｍａｘで再生され、データの読み込みが終了してから、その１  ＩＬＶＵのデータの再生が終了されるまでに、次に読み込むＩＬＶＵの開始位置までのジャンプが終了することにより、シームレスにデータを再生し、
　ＤＶＲ　ＭＰＥＧ２トランスポートストリームは、整数個のアラインユニット（Ａｌｉｇｎｅｄ  ｕｎｉｔ）から構成され、アラインユニットの大きさは、６１４４バイト（２０４８×３バイト）であり、ソースパケットは、１９２バイト長であり、１つのソースパケットは、ＴＰ＿ｅｘｔｒａ＿ｈｅａｄｅｒとトランスポートパケットから成り、ＴＰ＿ｅｘｔｒａ＿ｈｅａｄｅｒは、４バイト長であり、トランスポートパケットは、１８８バイト長であり、１つのアラインユニットは、３２個のソースパケットから成り、ＭＰＥＧ２トランスポートストリームは、アラインユニットの境界で終端し、記録媒体に記録される入力トランスポートストリームのトランスポートパケットの数が３２の倍数でないとき、ヌルパケット（ＰＩＤ＝０ｘ１ＦＦＦのトランスポートパケット）を持ったソースパケットが最後のアラインユニットに使用され、
　各ＩＬＶＵのＡＶストリームデータのビデオストリームデータは、シーケンスヘッダ（Ｓｅｑｕｅｎｃｅ  ｈｅａｄｅｒ）から始まるＣｌｏｓｅｄ  ＧＯＰ（Ｇｒｏｕｐ  Ｏｆ  Ｐｉｃｔｕｒｅｓ）から開始する、方法。」
　
３．対比
　
　そこで、本件補正発明と先願発明とを対比する。
　対比に当たり、本件補正後の請求項１の「マルチアングルデータを記録媒体
で
から
　
（１）先願発明の「マルチアングルのＡＶストリームデータ」、「記録再生装置」は、それぞれ、本件補正発明の「マルチアングルデータ」、「再生装置」に相当する。
（２）先願発明は、「マルチアングルの再生区間は、複数のセル（Ｃｅｌｌ）により構成されており、セルに対応する実態のＡＶストリームデータを読み出す段階を有し、」「マルチアングルのＡＶストリームデータは、複数のＩＬＶＵ（Ｉｎｔｅｒｌｅａｖｅｄ  Ｕｎｉｔ）と呼ばれる単位で構成され、」「あるＩＬＶＵのデータがデータ読み出し速度Ｒｕｄで読み込まれたとき、読み込まれた１  ＩＬＶＵのデータは、順次、所定のＡＶストリームレートＲｍａｘで再生され、データの読み込みが終了してから、その１  ＩＬＶＵのデータの再生が終了されるまでに、次に読み込むＩＬＶＵの開始位置までのジャンプが終了することにより、シームレスにデータを再生」するものであるところ、そのように再生するためには、「シームレスにデータを再生するための、記録媒体から読み出されたＡＶストリームを格納するリードバッファ」が必須であることは自明である。
　すなわち、先願発明は、「シームレスにデータを再生するための、記録媒体から読み出されたＡＶストリームを格納するリードバッファ」を有することは明らかである。
（３）先願発明の「ソースデパケッタイザ」は、本件補正発明の「デパケッタイザ」に相当する。
（４）先願発明は、「マルチアングル再生が可能な所定の再生区間において、ユーザは、自分の嗜好に合うアングルを選択することができ、その際、記録再生装置によりアングル間の切り替えをシームレスに再生することができ」るものである。
（５）（１）〜（４）より、本件補正発明と先願発明とは、「マルチアングルデータを記録媒体からバッファリングするリードバッファとバッファリングされた前記マルチアングルデータを変換するデパケッタイザを含む再生装置において、複数の異なるアングルからのシーンの再生のためのデータを前記記録媒体から再生する方法であ」る点で共通する。
（６）先願発明は、「マルチアングルの再生区間は、複数のセル（Ｃｅｌｌ）により構成されており、セルに対応する実態のＡＶストリームデータを読み出す段階を有」するものであるから、本件補正発明と先願発明とは、「前記複数のアングルのそれぞれから前記シーンに対応するデータを取得する段階を有」する点で共通する。
（７）先願発明の「ＩＬＶＵ（Ｉｎｔｅｒｌｅａｖｅｄ  Ｕｎｉｔ）」は、本件補正発明の「インターリーブドブロック」に相当するとともに、先願発明は、「マルチアングルのＡＶストリームデータは、複数のＩＬＶＵ（Ｉｎｔｅｒｌｅａｖｅｄ  Ｕｎｉｔ）と呼ばれる単位で構成され」るものであるから、本件補正発明と先願発明とは、「前記マルチアングルデータは、複数のインターリーブドブロックであって、前記記録媒体に記録されて」いる点で共通する。
（８）先願発明の「ＩＬＶＵ」の各々がシーンを再生するための動映像データを有することは明らかであるとともに、先願発明の「アングル切り替え点」は、本件補正発明の「アングル転換点」に相当するから、本件補正発明と先願発明とは、「前記インターリーブドブロック各々は、前記シーンを再生するための動映像データ、及び前記再生装置が、前記複数のインターリーブドブロックのうちの１つのインターリーブドブロック内のデータから前記複数のインターリーブドブロックのうちの別のインターリーブドブロック内のデータへジャンプ可能にするよう指示されるアングル転換点を有」する点で共通する。
（９）先願発明は、「各アングルのＡＶストリームデータは、同一のアングルのＡＶストリームデータのうちの複数の連続するアングル切り替えユニットごとにインターリーブして記録され」るものであるから、「ＩＬＶＵ」それぞれの開始位置に「アングル切り替え点」が設けられることになり、「ＩＬＶＵ」は本件補正発明でいう「インターリーブドブロック」といえ、本件補正発明と先願発明とは、「前記インターリーブドブロックそれぞれの開始位置に前記アングル転換点が設けられ」る点で共通する。
　
　そうすると、本件補正発明と先願発明とは、次の点で一致することは明らかである。
　
＜一致点＞
　
「マルチアングルデータを記録媒体からバッファリングするリードバッファとバッファリングされた前記マルチアングルデータを変換するデパケッタイザを含む再生装置において、複数の異なるアングルからのシーンの再生のためのデータを前記記録媒体から再生する方法であって、
　前記複数のアングルのそれぞれから前記シーンに対応するデータを取得する段階を有し、
　前記マルチアングルデータは、複数のインターリーブドブロックであって、前記記録媒体に記録されており、
　前記インターリーブドブロック各々は、
　　前記シーンを再生するための動映像データ、及び
　　前記再生装置が、前記複数のインターリーブドブロックのうちの１つのインターリーブドブロック内のデータから前記複数のインターリーブドブロックのうちの別のインターリーブドブロック内のデータへジャンプ可能にするよう指示されるアングル転換点を有し、
　前記インターリーブドブロックそれぞれの開始位置に前記アングル転換点が設けられる方法。」の点。
　
　そして、上記一致点以外の、本件補正発明が備える特定事項は次の（１）〜（３）であり、これらの特定事項については、先願発明に明示の特定はなく、これらの点について次項４．で検討する。
　
（１）「前記リードバッファのアンダーフローを防止するために前記リードバッファに保存されている必要があるデータの量は、アングルチェーンジ要求によるジャンプ時間と前記デパケッタイザの出力レートである第１データ出力レートにより決定され」る点。
　
（２）「前記リードバッファの出力レートはデータに含まれるパケットのサイズと前記第１出力レートにより決定され」る点。
　
（３）「前記インターリーブドブロックの大きさは、INT[(M×SANGLE_POINTS+6144-192)/6144]×3により算出され、Mは前記アングル転換点の数であり、SANGLE_POINTSは二つのアングル転換点の間の長さを表す」点。
　
４．判断
　
　そこで、先願発明が、上記３．の（１）〜（３）の特定事項を備えるか、について検討する。
　
　〈特定事項（１）について〉
　先願発明は、「ユーザは、自分の嗜好に合うアングルを選択することができ、その際、記録再生装置によりアングル間の切り替えをシームレスに再生することができ」、
　「マルチアングルの再生区間は、・・・記録され、
　ＩＬＶＵは複数のアングル切り替え点を有し、
　あるＩＬＶＵのデータがデータ読み出し速度Ｒｕｄで読み込まれたとき、読み込まれた１  ＩＬＶＵのデータは、順次、所定のＡＶストリームレートＲｍａｘで再生され、データの読み込みが終了してから、その１  ＩＬＶＵのデータの再生が終了されるまでに、次に読み込むＩＬＶＵの開始位置までのジャンプが終了することにより、シームレスにデータを再生」するものであり、「シームレスにデータを再生するための、記録媒体から読み出されたＡＶストリームを格納するリードバッファ」を有する（上記「３．（２）」）ところ、
　シームレスにデータを再生するためには、ジャンプを開始するときに、リードバッファに保存されているべきデータ量は、ジャンプ時間に「リードバッファ」から読み出されるＡＶストリームのデータ量、すなわち、（ジャンプ時間）×（ＡＶストリームレートＲｍａｘ）であることは明らかであり、
　ＡＶストリームレートＲｍａｘはソースデパケッタイザからのトランスポートパケットの出力レートによって決まるといえるから、
　先願発明も、リードバッファのアンダーフローを防止するためにリードバッファに保存されている必要があるデータの量はアングルチェーンジ要求によるジャンプ時間とデパケッタイザの出力レートにより決定されるものである。
　上記特定事項（１）は、明示はなくとも、先願発明が備えている事項といえ、この点で、本件補正発明と先願発明は相違するものではない。
　
　〈特定事項（２）について〉
　先願発明が有するといえる「シームレスにデータを再生するための、記録媒体から読み出されたＡＶストリームを格納するリードバッファ」の出力レートであるＡＶストリームレートＲｍａｘは、（ソースデパケッタイザの出力レート）×（ソースパケットのサイズ）／（トランスポートパケットのサイズ）であるから、先願発明が有しているといい得る「リードバッファ」の出力レートも、データに含まれるパケットのサイズとソースデパケッタイザの出力レートにより決定されるものである。
　上記特定事項（２）は、明示はなくとも、先願発明が備えている事項といえ、この点で、本件補正発明と先願発明は相違するものではない。
　
　〈特定事項（３）について〉
　先願発明は、「ＤＶＲ　ＭＰＥＧ２トランスポートストリームは、整数個のアラインユニット（Ａｌｉｇｎｅｄ  ｕｎｉｔ）から構成され、アラインユニットの大きさは、６１４４バイト（２０４８×３バイト）であり、ソースパケットは、１９２バイト長であり、１つのソースパケットは、ＴＰ＿ｅｘｔｒａ＿ｈｅａｄｅｒとトランスポートパケットから成り、」「１つのアラインユニットは、３２個のソースパケットから成り、ＭＰＥＧ２トランスポートストリームは、アラインユニットの境界で終端し、記録媒体に記録される入力トランスポートストリームのトランスポートパケットの数が３２の倍数でないとき、ヌルパケット（ＰＩＤ＝０ｘ１ＦＦＦのトランスポートパケット）を持ったソースパケットが最後のアラインユニットに使用される」ものである。
　「各ＩＬＶＵのＡＶストリームデータのビデオストリームデータは、シーケンスヘッダ（Ｓｅｑｕｅｎｃｅ  ｈｅａｄｅｒ）から始まるＣｌｏｓｅｄ  ＧＯＰ（Ｇｒｏｕｐ  Ｏｆ  Ｐｉｃｔｕｒｅｓ）から開始する」から、各ＩＬＶＵは、それぞれ、シーケンスを構成するといえる。
　したがって、上記ＤＶＲ　ＭＰＥＧ２トランスポートストリームに関する限定は、各ＩＬＶＵそれぞれについても成立する。
　各ＩＬＶＵが有するアングル切り替え点の数をＭで表し、二つのアングル切り替え点の間の長さ（バイト）をSANGLE_POINTSで表すとすると、ＩＬＶＵに含まれる二つのアングル切り替え点の間の長さの合計はM×SANGLE_POINTSとなる。ＩＬＶＵに含まれるトランスポートパケットの数が３２の倍数でないときは、ソースパケットの数が３２の倍数となるようにヌルパケットを有するソースパケットを加える。加えるソースパケットの数は３２−１が最大であり、対応するデータ量（バイト）は6144-192である。ＩＬＶＵの大きさは３セクタ、すなわち、６１４４バイトの整数倍であるから、必要な数だけソースパケットを加えたＩＬＶＵの大きさ（セクタ）は、INT[(M×SANGLE_POINTS+6144-192)/6144]×3である。
　上記特定事項（３）は、明示はなくとも、先願発明が備えている事項といえ、この点で、本件補正発明と先願発明は相違するものではない。
　
　以上のとおりであるから、先願発明は、本件補正発明のすべての特定事項を備えているということになる。
　
　したがって、本件補正発明は、先願明細書等に記載された発明と実質的に同一であり、しかも、本件出願の発明者が先願明細書等に記載された発明をした者と同一ではなく、また本件出願の時において、その出願人が上記国際特許出願の出願人と同一でもないので、特許法第２９条の２の規定により、特許出願の際独立して特許を受けることができないものである。
　
５．本件補正についてのむすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成２４年８月２４日付けの手続補正は、上記のとおり却下されたので、本願の請求項１に係る発明は、平成２４年２月９日付けの手続補正により補正された特許請求の範囲の請求項１に記載された事項により特定されるものであるところ、請求項１に係る発明（以下「本願発明」という。）は、上記「第２［理由］１．」に本件補正前の請求項１として記載したとおりのものである。
　
２．先願明細書等
　
　原査定の拒絶の理由で引用された先願明細書等及びその記載事項は、上記「第２［理由］２．」に記載したとおりである。
　
３．対比・判断
　
　本願発明は、上記「第２［理由］３．及び４．」で検討した本件補正発明から、発明特定事項である「インターリーブドブロック」について「前記インターリーブドブロックの大きさは、INT[(M×SANGLE_POINTS+6144-192)/6144]×3により算出され、Mは前記アングル転換点の数であり、SANGLE_POINTSは二つのアングル転換点の間の長さを表す」との構成を削除したものである。
　そうすると、本願発明の構成要件を全て含み、さらに他の構成要件を付加したものに相当する本件補正発明が、上記「第２［理由］３．及び４．」に記載したとおり、先願発明と実質的に同一であるから、本願発明も、同様の理由により、先願発明と実質的に同一である。
　
　なお、本件補正前の請求項１の「前記リードバッファの最小サイズはアングルチェーンジ要求によるジャンプ時間と前記デパケッタイザの出力レートである第１データ出力レートにより決定され」は、明細書及び図面の記載を参酌して、本件補正後の請求項１の「前記リードバッファの
アンダーフローを防止するために前記リードバッファに保存されている必要があるデータの量
　
４．むすび
　
　以上のとおり、本願の請求項１に係る発明は、特許法第２９条の２の規定により特許を受けることができない。
　したがって、本願は、その余の請求項について論及するまでもなく拒絶すべきものである。
　
　よって、結論のとおり審決する。